(57)【特許請求の範囲】
【請求項１】
被写体を撮像した光学像を撮像素子により電気信号に変換し、前記電気信号から画像データを生成する撮影データ生成手段と、
前記撮影データ生成手段により生成された画像データを記録媒体に記録する画像データ記録手段と、
前記画像データ記録手段により前記画像データが記録中であることを発光によって報知する報知手段と、
焦点調節範囲を設定する焦点調節範囲設定手段と、
前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段とを有することを特徴とする撮像装置。
【請求項２】
前記静止画は、動画記録中に撮影される静止画を含むことを特徴とする請求項１に記載の撮像装置。
【請求項３】
被写体を撮像した光学像を撮像素子により電気信号に変換し、前記電気信号から画像データを生成する撮影データ生成手段と、前記撮影データ生成手段により生成された画像データを記録媒体に記録する画像データ記録手段と、前記画像データ記録手段により前記画像データが記録中であることを発光によって報知する報知手段と、焦点調節範囲を設定する焦点調節範囲設定手段とを有する撮像装置の制御方法であって、
前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するように制御する報知制御ステップを有することを特徴とする撮像装置の制御方法。
【請求項４】
被写体を撮像した光学像を撮像素子により電気信号に変換し、前記電気信号から画像データを生成する撮影データ生成手段を有するコンピュータを、
前記撮影データ生成手段により生成された画像データを記録媒体に記録する画像データ記録手段、
前記画像データ記録手段により前記画像データが記録中であることを発光によって報知する報知手段、
焦点調節範囲を設定する焦点調節範囲設定手段、
前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段
として機能させることを特徴とするプログラム。
【請求項５】
被写体を撮像した光学像を撮像素子により電気信号に変換し、前記電気信号から画像データを生成する撮影データ生成手段を有するコンピュータを、
前記撮影データ生成手段により生成された画像データを記録媒体に記録する画像データ記録手段、
前記画像データ記録手段により前記画像データが記録中であることを発光によって報知する報知手段、
焦点調節範囲を設定する焦点調節範囲設定手段、
前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段
として機能させるためのプログラムを記録したことを特徴とするコンピュータ読み取り可能な記録媒体。
【発明の詳細な説明】
【技術分野】
【０００１】
本発明は撮像装置、撮像装置の制御方法、コンピュータプログラム及び記録媒体に関し、例えば、至近距離撮影時の動画記録及び動画中の静止画記録において良好な記録画像を得るために用いて好適な技術に関する。
【背景技術】
【０００２】
一般的なビデオカメラにはタリーランプ（稼動しているカメラを示すランプ）が装備されており、動画記録中にはこのタリーランプが点滅するようになっている。これにより、撮影者及び被撮影者はビデオカメラが録画モードになっていることを確認することができるようになっている。
【０００３】
これに関連した従来技術として、リモートコントローラによる遠隔操作可能なビデオカメラが提案されている。このようなビデオカメラでは、録画中を示すタリーランプの点滅、及びリモートコントローラから送信信号の受信確認のための点滅制御に加えて、受信信号によるビデオカメラの制御内容を特定するためのタリーランプの点滅制御を行うようにする処理を実施することができる。これにより、リモートコントローラの操作者は容易にビデオカメラの設定状態を確認することが可能である（例えば、特許文献１を参照）。
【０００４】
また、デジタルビデオに限らず、近年のデジタルカメラの発展に伴い、動画記録の可能なものが登場している。このようなデジタルカメラにおいて、カメラとして従来から備わっているセルフタイマー機能使用時のセルフ表示ランプの表示と、動画記録時のタリーランプの表示との区別がつきにくく、使用者が撮影モードを識別するのに混乱が生じる可能性がある。このため、この問題を解決するため、それぞれの異なる発光パターンを使用する方法が提案されている（例えば、特許文献２）。
【０００５】
このように、タリーランプは動画記録中であることを示す機能に加えて、デジタルビデオ／デジタルカメラの動作状態を撮影者及び被撮影者に対して通知する機能として積極的に使用されている。
【０００６】
【特許文献１】特開平０５―１４５８０５号公報
【特許文献２】特開２００１―２５１５３７号公報
【発明の開示】
【発明が解決しようとする課題】
【０００７】
しかし、昨今のデジタルビデオ及びデジタルカメラの発展は目覚しく、それぞれの機器が提供可能な機能は大幅に増加している。その一例として、至近距離の被写体を撮影するためのマクロモードや、デジタルカメラの動画撮影機能、デジタルビデオ／デジタルカメラの動画記録中における静止画撮影機能などがある。
【０００８】
このようなデジタルビデオ／デジタルカメラにおいて、至近距離にある被写体を，マクロモードを用いて動画記録及び動画記録中の静止画撮影を行う場合、動画記録中であることを示すタリーランプが点滅している状態で動画／静止画の記録が行われることとなる。
【０００９】
特に、反射率の高い被写体を至近距離で撮影している場合には、タリーランプの反射光が記録画像に映り込んでしまい、撮影者の意図した画像が得られないという致命的な状況が生じる恐れがあった。
本発明は上述の問題点にかんがみ、至近距離撮影時の動画記録及び動画中の静止画記録を行う際に、良好な記録画像を得ることができるようにすることを目的とする。
【課題を解決するための手段】
【００１０】
本発明の撮像装置は、被写体を撮像した光学像を撮像素子により電気信号に変換し、前記電気信号から画像データを生成する撮影データ生成手段と、前記撮影データ生成手段により生成された画像データを記録媒体に記録する画像データ記録手段と、前記画像データ記録手段により前記画像データが記録中であることを発光によって報知する報知手段と、焦点調節範囲を設定する焦点調節範囲設定手段と、前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段とを有することを特徴とする。
【００１１】
本発明の撮像装置の制御方法は、被写体を撮像した光学像を撮像素子により電気信号に変換し、前記電気信号から画像データを生成する撮影データ生成手段と、前記撮影データ生成手段により生成された画像データを記録媒体に記録する画像データ記録手段と、前記画像データ記録手段により前記画像データが記録中であることを発光によって報知する報知手段と、焦点調節範囲を設定する焦点調節範囲設定手段とを有する撮像装置の制御方法であって、前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するように制御する報知制御ステップを有することを特徴とする。
【００１２】
本発明のプログラムは、被写体を撮像した光学像を撮像素子により電気信号に変換し、前記電気信号から画像データを生成する撮影データ生成手段を有するコンピュータを、前記撮影データ生成手段により生成された画像データを記録媒体に記録する画像データ記録手段、前記画像データ記録手段により前記画像データが記録中であることを発光によって報知する報知手段、焦点調節範囲を設定する焦点調節範囲設定手段、前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段として機能させることを特徴とする。
【００１３】
本発明の記録媒体は、被写体を撮像した光学像を撮像素子により電気信号に変換し、前記電気信号から画像データを生成する撮影データ生成手段を有するコンピュータを、前記撮影データ生成手段により生成された画像データを記録媒体に記録する画像データ記録手段、前記画像データ記録手段により前記画像データが記録中であることを発光によって報知する報知手段、焦点調節範囲を設定する焦点調節範囲設定手段、前記焦点調節範囲設定手段によって設定される焦点調節範囲がマクロ領域であり、かつ前記画像データ記録手段により動画が記録中である場合には、前記報知手段の発光輝度を前記焦点調節範囲がマクロ領域でない場合よりも弱くし、前記焦点調節範囲設定手段によって設定される焦点調節範囲がマクロ領域であり、かつ前記画像データ記録手段により静止画が記録中である場合には、前記報知手段による発光を禁止するよう制御する報知制御手段として機能させるためのプログラムを記録したことを特徴とする。
【発明の効果】
【００１４】
本発明によれば、マクロ領域被写体と撮像装置との距離が近い場合に、発光装置からの光が被写体で反射して発生する反射光が記録中の動画像または静止画像に映りこむことを、動画撮影中であるか静止画撮影中であるかに応じた方法で未然に防ぐことが可能となり、良好な動画像及び静止画像を撮影することが可能な撮像装置を提供することができる。
【発明を実施するための最良の形態】
【００１５】
（第１の実施の形態）
以下に、本発明の第１の実施の形態として、マクロモード（至近撮影モード）における動画記録の例を示す。
図１は、本発明の第１の実施の形態に係る撮像装置１００の構成を示すブロック図である。図１において、１０は撮影レンズであり、フォーカスレンズ１０a及びズームレンズ１０ｂから構成される。１２は絞り機能を備えるシャッタ、１４は光学像を電気信号に変換する撮像素子、１６は撮像素子１４のアナログ信号出力をディジタル信号に変換するＡ／Ｄ変換器である。
【００１６】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１７】
２０は画像処理回路であり、 Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が絞りシャッタ駆動部４０、フォーカスレンズ駆動部４２に対して制御を行う、TTL（スルー・ザ・レンズ）方式のAF（オートフォーカス）処理、AE（自動露出）処理、ＥＦ（フラッシュプリ発光）処理を行っている。
【００１８】
さらに、画像処理回路２０においては、撮像した画像データを用いて所定の演算処理を行い、得られた演算結果に基づいてTTL方式のAWB（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８に表示される。
【００２２】
したがって、画像表示部２８を用いて撮像した画像データを逐次表示すれば、電子ファインダー機能を実現することが可能である。また、画像表示部２８は、システム制御回路５０の指示により任意に表示をON／OFFすることが可能であり、表示をOFFにした場合には撮像装置１００の電力消費を大幅に低減することができる。
【００２３】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。
【００２４】
また、メモリ３０はシステム制御回路５０の作業領域としても使用することが可能である。３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０は絞り機能を備えるシャッタ１２を制御する絞りシャッタ駆動部であり、フラッシュ４８と連携することにより、フラッシュ調光機能も有するものである。４２はフォーカスレンズ１０aの駆動を制御するフォーカスレンズ駆動部、４４はズームレンズ１０ｂを駆動させるズームレンズ駆動部、４６はバリアである保護部１０２の動作を制御するバリア制御部である。
【００２６】
４８はフラッシュであり、AF補助光の投光機能、フラッシュ調光機能も有する。
絞りシャッタ駆動部４０、フォーカスレンズ駆動部４２は、撮像した画像データを画像処理回路２０によって演算した演算結果に基づき、システム制御回路５０が絞りシャッタ駆動部４０、フォーカスレンズ駆動部４２に対して制御を行い、露出、ピントを制御する。５０は撮像装置１００全体を制御するシステム制御回路、５２はシステム制御回路５０の動作用の定数、変数、プログラム等を記憶するメモリである。
【００２７】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。
【００２８】
また、表示部５４は、その一部の機能が光学ファインダー１０４内に設置されている。
表示部５４の表示内容のうち、LCD等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信I／F動作表示、日付け・時刻表示、外部コンピュータとの接続状態を示す表示、等がある。
【００２９】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。さらに、表示部５４の表示内容のうち、LED等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【００３０】
本実施の形態のタリーランプ５８は、動画記録中であることを通知するために点灯、消灯、点滅等の動作を行う。なお、タリーランプ５８は動画記録中の通知のためだけではなく、セルフタイマー通知及びAF補助光と共用して用いてもよい。５６は電気的に消去・記録可能な不揮発性メモリであり、例えばEEPROM、フラッシュメモリ等が用いられる。
【００３１】
６０、６２、６４、７０及び７２は、システム制御回路５０の各種の動作指示を入力するための操作部であり、スイッチやダイアル、タッチパネル、視線検出によるポインティング、音声認識装置等の単数或いは複数の組み合わせで構成される。
【００３２】
ここで、これらの操作部の具体的な説明を行う。
６０は電源スイッチ（メインスイッチ）で、画像処理装置１００の電源オン、電源オフの各モードを切り替え設定することができる。また、画像処理装置１００に接続された各種付属装置の電源オン、電源オフの設定も合わせて切り替え設定することができる。
【００３３】
６２は第１のシャッタースイッチＳＷ１で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００３４】
６４は第２のシャッタースイッチＳＷ２で、不図示のシャッターボタンの操作完了でONとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ON／OFFボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００３６】
なお、圧縮モードスイッチにおいては、JPEG（Joint Photographic Expert Group）圧縮の圧縮率を選択するため、或いは撮像素子の信号をそのままディジタル化して記録媒体に記録するCCDRAWモードを選択するためのスイッチである。
【００３７】
JPEG圧縮のモードは、例えばノーマルモードとファインモードが用意されている。
撮像装置１００の利用者は、撮影した画像のデータサイズを重視する場合はノーマルモードを、撮影した画像の画質を重視する場合はファインモードを、それぞれ選択して撮影を行うことができる。
【００３８】
JPEG圧縮のモードにおいては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、記録媒体２００に記録を行う。
【００３９】
CCDRAWモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００に記録を行う。
【００４０】
７２はモードダイアルスイッチで、自動撮影モード、撮影モード、パノラマ撮影モード、再生モード、マルチ画面再生・消去モード、PC接続モード等の各機能モードを切り替え設定することができる。なお、本実施の形態の説明においては、特に、撮影モード、再生モード、プリントサービスモードを撮像装置１００が備える構成としている。
【００４１】
８０は電源制御部で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４２】
８２、８４はコネクタ、８６はアルカリ電池やリチウム電池等の一次電池やNiCd電池やNiMH電池、Li-ion電池等の二次電池、ACアダプター等からなる電源部である。９０はメモリカードやハードディスク等の記録媒体とのインタフェース、９２はメモリカードやハードディスク等の記録媒体と接続を行うコネクタである。
１０２は、撮像装置１００のレンズ１０を含む撮像部を覆う事により、撮像部の汚れや破損を防止するバリアである保護部である。
【００４３】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４４】
１１２はコネクタで、通信部１１０により他の機器と接続する際に使用される。
通信部１１0の例としては、RS232CやUSB(Universal Serial Bus)、IEEE(Institute of Electrical and Electronics Engineers) 1394等の有線通信手段が挙げられる。
２００はメモリカードやハードディスク等の記録媒体である。
【００４５】
記録媒体２００は、半導体メモリや磁気ディスク等から構成される記録部２０２、撮像装置１００とのインタフェース２０４、撮像装置１００と接続を行うコネクタ２０６を備えている。
【００４６】
次に、前記の如く構成された第１の実施の形態に係る撮像装置の動作について図１〜図４を参照しながら詳細に説明する。
＜動画撮影基本動作＞
図１に示した撮像装置１００の第１のシャッタースイッチＳＷ１(６２)をＯＮにすることで、図３のフローチャートで示した撮影処理シーケンスが実行される。図３に示したように、処理が開始されると、まず、ステップＳ３００において第１のシャッタースイッチＳＷ１（６２）のＯＮ／ＯＦＦ状態を検出する。この検出の結果、ＯＦＦ（ＮＯ）であれば何もせず、ＯＮ（ＹＥＳ）である場合にはステップＳ３０１の処理を実施する。
【００４７】
ステップＳ３０１では焦点調整前の露出調整を行い、その処理の完了の後ステップＳ３０２において焦点調整処理を実施する。焦点調整処理が完了後、ステップＳ３０３の動画記録用露出調整を行い、動画撮影に適した露出となるように調整を行う。動画記録用露出調整が完了した後、ステップＳ３０４において第２のシャッタースイッチＳＷ２(６４)のＯＮ／ＯＦＦ状態を検出する。
【００４８】
この検出の結果、第２のシャッタースイッチＳＷ２（６４）がＯＦＦであれば、ステップＳ３０６の処理を実施して、第１のシャッタースイッチＳＷ１（６２）の状態を検出し、ＯＮであれば再度ステップＳ３０４の処理を実施して第２のシャッタースイッチＳＷ２（６４）の状態を検出する。また、ステップＳ３０６において、第１のシャッタースイッチＳＷ１（６２）がＯＦＦであった場合は、撮影処理を終了する。
【００４９】
したがって、本実施の形態においては、第１のシャッタースイッチＳＷ１（６２）がＯＮで、かつ第２のシャッタースイッチＳＷ２（６４）がＯＮとなる条件が成立しない限り、以降の動画記録動作は開始されない。
【００５０】
一方、ステップＳ３０４の検出の結果、第２のシャッタースイッチＳＷ２（６４）がＯＮであった場合は、次のＳ３０５でタリーランプの制御を含む動画記録動作を行う。なお、処理の詳細は後述する。ステップＳ３０５の処理を終了した後でステップＳ３０７に進み、ステップＳ３０７において動画記録の終了を検出するまでタリーランプの制御を含む動画記録動作を行う。
【００５１】
本実施の形態中における動画記録の終了とは、撮影者により動画記録中に第２のシャッタースイッチＳＷ２（６４）がＯＮとなるか、記録媒体２００の空き容量が所定量以下となった場合を指す。ステップＳ３０７において前記いずれかの条件が成立した場合は動画記録を終了し、そうでない場合は記録を継続する。
【００５２】
＜動画記録中のタリーランプ制御処理＞
次に、図３のステップＳ３０５で示した動画記録中のタリーランプ制御のフローについて図２のフローチャートを用いて説明する。また、これから説明する各種判定処理は、図１におけるシステム制御回路５０によって実施される。また、システム制御回路５０によって出力された各種判定結果、演算結果はメモリ５２に記憶され、必要に応じて読み出されながら所望の処理を実行するものとする。
【００５３】
まず、ステップＳ１００において動画記録中であるか否かを検出する。この検出の結果に基いて、ステップＳ１０１において動画記録が開始されようとしているか否かを判断する。この判断の結果、動画記録を開始しようとしていない場合には処理を終了し、開始しようとしている場合は、次のステップＳ１０２に進み、撮像装置１００に現在設定されている焦点検出範囲の設定状態を取得する。
【００５４】
その後、ステップＳ１０３に進み、ステップＳ１０２において取得した焦点検出範囲設定がマクロモード（至近撮影モード）であるか否かを判断し、マクロモードでない場合には次のステップＳ１０４において動画記録中を通知するタリーランプの点滅を開始し、その後、ステップＳ１０５に進んで動画記録処理を開始する。また、ステップＳ１０３の判断の結果、マクロモードである場合にはステップＳ１０４の処理を実行せずに、ステップＳ１０５の動画記録処理を開始する。
【００５５】
以下に、図４を参照しながら、ステップＳ１０５において行われる処理の詳細を説明する。
まず、ステップＳ４００において撮像素子１４への露光を行う。次に、ステップＳ４０１において、撮像素子１４に蓄積されたデータを読み出す。次に、ステップＳ４０２において、Ａ／Ｄ変換器１６を使って撮像素子１４から読み出したアナログ信号をディジタル信号に変換する。ステップＳ４０３において、画像処理回路２０を使って各種画像処理を行う。次に、ステップＳ４０４において、前記ステップＳ４０３で処理した画像を動画記録に適した形に圧縮する。次に、ステップＳ４０５において、前記ステップＳ４０４で圧縮したデータを、記録媒体インタフェース９０を介して撮像装置本体に装着されたメモリカードなどの記録媒体２００へ転送して記憶し、記憶完了後に処理を終了する。ここまでが、図２のステップＳ１０５に示した動画記録処理である。
【００５６】
図２のフローチャートに戻り、ステップＳ１０５の後でステップＳ１０６に進み、動画記録終了条件が成立しているか否かを判断する。この判断の結果、前記終了条件が成立していない場合は動画記録を継続し、成立している場合にはステップＳ１０７に進み、タリーランプ５８が点滅しているか否かを判断する。
【００５７】
この判断の結果、タリーランプ５８が点滅している場合にはステップＳ１０８に進んでタリーランプ５８を消灯し、点滅していない場合にはそのまま動画記録を終了する。
【００５８】
以上、説明したように、撮像装置１００の動作により、マクロモード（至近撮影モード）の場合にはタリーランプ５８の動作を抑制するようにしたため、被写体と撮像装置１００との距離が近い場合に、発光装置からの発光が被写体に反射した反射光が、記録している動画に映りこむことを未然に防ぐことが可能となり、撮影者に対して良好な動画を提供することができるようになる。
【００５９】
また、本実施の形態中ではタリーランプ５８を点滅させない構成を示したが、本発明はこれに限定されるものではなく、動画記録中かつマクロモード（至近撮影モード）の場合にはタリーランプ５８の発光量を測距可能な範囲から算出した適切な値で制御して点滅させるような構成であってもよい。
【００６０】
（第２の実施の形態）
次に、本発明の第２の実施の形態に係る撮像装置の動作について、図５及び図６を参照しながら詳細に説明する。第２の実施の形態では、動画記録中に静止画撮影が可能な場合の例を示しており、撮像装置の構成については第１の実施の形態で示した図１の構成と同様である。
【００６１】
＜動画記録中静止画撮影時のタリーランプ制御＞
本実施の形態において、動画記録については前述した第１の実施の形態に示した処理と同様である。また、本実施の形態を説明するに当たり、動画記録はすでに開始されているものとする。さらに、以下の各種判定処理は図１におけるシステム制御回路５０によって実施される。また、システム制御回路５０によって出力された各種判定結果、演算結果はメモリ５２に記憶され、必要に応じて読み出されながら所望の処理を実行するものとする。
【００６２】
動画記録中の静止画撮影とタリーランプ５８の制御の詳細については、図５を用いて説明する。
まず、ステップＳ２００において動画記録中であるか否かを検出する。次に、ステップＳ２０１において動画記録が開始されているか否かを判断し、動画記録中でない場合にはステップＳ２１２にジャンプする。また、動画記録中である場合には、ステップＳ２０２に進み、撮像装置１００に設定されている焦点検出範囲を取得する。
【００６３】
次に、ステップＳ２１４に進み、ステップＳ２０２において取得した焦点検出範囲がマクロモード（至近撮影モード）であるか否かを判定する。ステップＳ２１４の判定の結果、マクロモードでない場合にはステップＳ２１６に進む。ステップＳ２１６では、動画記録中を通知するタリーランプの点滅を開始する。その後、ステップＳ２１１にて動画記録終了を待つ。一方、ステップＳ２１４の判定の結果、マクロモードである場合には、ステップＳ２１５に進む。ステップＳ２１５では、ステップＳ２１６で実行されるタリーランプの点滅処理と比べてより弱い発光輝度によるタリーランプの点滅処理を開始する。
【００６４】
次にステップＳ２０３に進み、第１のシャッタースイッチＳＷ１（６２）のＯＮ／ＯＦＦ状態を判断する。この判断の結果、ＯＦＦの場合はステップＳ２１１に進み、動画記録の終了を判断する。この判断の結果、動画記録を終了しない場合にはステップＳ２０３に戻って動画の記録を継続する。この間、タリーランプの減光点滅も継続する。また、ステップＳ２１１の判断の結果、動画記録を終了する場合はステップＳ２１２に進み、タリーランプ５８を消灯し、処理を終了する。
【００６５】
また、ステップＳ２０３の判断の結果、第１のシャッタースイッチＳＷ１（６２）がＯＮの場合には、ステップＳ２０４に進み、撮像装置１００に設定されている焦点検出範囲設定を取得する。
【００６６】
次に、ステップＳ２０５に進み、ステップＳ２０４において取得した焦点検出範囲がマクロモード（至近撮影モード）であるか否かを判定する。この判定の結果、マクロモードである場合にはステップＳ２０６においてタリーランプ５８を消灯し、その後、ステップＳ２０７に進む。また、ステップＳ２０５の判定の結果、マクロモードでない場合にはステップＳ２０６をジャンプしてステップＳ２０７に直接進む。
【００６７】
ステップＳ２０７は静止画記録処理であり、図６を用いて説明する。
まず、ステップＳ５００において、第１のシャッタースイッチＳＷ１（６２）のＯＮ／ＯＦＦを判断する。この判断の結果、ＯＦＦ（ＮＯ）である場合は何もしない。また、ＯＮ（ＹＥＳ）である場合はステップＳ５０１に進み、焦点調整前の露出調整を行い、その処理の完了の後ステップＳ５０２に進んで焦点調整処理を実施する。そして、焦点調整処理が完了した後、ステップＳ５０３の本露光用露出調整を行い、撮影に適した露出となるように調整を行う。
【００６８】
ステップＳ５０３における本露光用露出調整が完了したら、その後、ステップＳ５０４において第２のシャッタースイッチＳＷ２(６４)のＯＮ／ＯＦＦ状態を検出する。この検出の結果、第２のシャッタースイッチＳＷ２（６４）がＯＦＦであれば、ステップＳ５１１に進み、第１のシャッタースイッチＳＷ１（６２）の状態を検出し、ＯＮであれば再度ステップＳ５０４の処理を実施して第２のシャッタースイッチＳＷ２（６４）の状態を検出する。
【００６９】
また、ステップＳ５１１の状態検出において、第１のシャッタースイッチＳＷ１（６２）がＯＦＦであった場合は撮影処理を終了する。したがって、第１のシャッタースイッチＳＷ１（６２）がＯＮとなり、かつ第２のシャッタースイッチＳＷ２（６４）がＯＮとなる条件が成立しない限り、以降の撮影動作は実施されない。
【００７０】
また、ステップＳ５０４において、第２のシャッタースイッチＳＷ２（６４）がＯＮであった場合は、次のステップＳ５０５に進んで撮像素子１４への露光を行う。次に、ステップＳ５０６に進み、撮像素子１４に蓄積されたデータを読み出す。ステップＳ５０７では、Ａ／Ｄ変換器１６を使って撮像素子１４から読み出したアナログ信号をディジタル信号に変換する。
【００７１】
次に、ステップＳ５０８において、画像処理回路２０を使って各種画像処理を行う。その後、ステップＳ５０９に進み、前記ステップＳ５０８で処理した画像をＪＰＥＧ（Joint Photographic Expert Group：カラー静止画像圧縮方式）などのフォーマットに従って圧縮する。次に、ステップＳ５１０に進み、前記ステップＳ５０９において圧縮したデータを、記録媒体インタフェース９０を介して撮像装置本体に装着されたメモリカードなどの記録媒体２００へ転送する。以上が静止画記録処理手順の概略である。
【００７２】
図５のフローチャートの説明に戻り、ステップＳ２０７の静止画記録処理を行った後でステップＳ２０８に進み、静止画撮影の完了状態を検出する。その後、ステップＳ２０９において静止画記録が完了したか否かを判断する。そして、ステップＳ２０９の判断の結果、静止画記録が完了していなければステップＳ２０８に戻って完了状態のチェックを継続する。また、ステップＳ２０９の判断の結果、静止画記録が完了している場合にはステップＳ２１０に進み、静止画記録中に消灯していたタリーランプ５８の減光点滅を再開する。
【００７３】
次に、ステップＳ２１１において動画記録が終了を検出したか否かを判断する。この判断の結果、動画記録が終了しない場合にはステップＳ２０３に戻って動画記録を継続する。また、動画記録を終了する場合にはステップＳ２１２においてタリーランプ５８を消灯して処理を終了する。
【００７４】
本実施の形態の撮像装置１００は以上のように動作することにより、マクロモード（至近撮影モード）の場合にはタリーランプ５８の発光光量を少なくし、さらに静止画撮影時にはタリーランプ５８の発光を停止している。これにより、被写体と撮像装置１００との距離が近い場合に、被写体により反射された発光装置による発光の反射光が記録される動画記録中の静止画に映りこむことを未然に防ぐことが可能となり、撮影者に対して良好な静止画を提供できるようになる。
【００７５】
本実施の形態中では、第１のシャッタースイッチＳＷ１がＯＮとなり、露出制御・焦点調整等の撮影準備動作中もタリーランプ５８の動作を抑制した例を示したが、本発明がこれに限定されるものではなく、例えば、静止画撮影の本露光時のみタリーランプ５８の動作を抑制するようにしてもよい。
【００７６】
（本発明に係る他の実施の形態）
上述した本発明の実施の形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７７】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００７８】
なお、本発明は、前述した実施の形態の機能を実現するソフトウェアのプログラム（実施の形態では図２〜図６に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００７９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８０】
その場合、プログラムの機能を有していれば、オブジェクトコード、インタプリタにより実行されるプログラム、ＯＳに供給するスクリプトデータ等の形態であってもよい。
【００８１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８２】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００８３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８５】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００８６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００８７】
【図１】本発明の第１、第２の実施の形態に係る撮像装置の構成例を示すブロック図である。
【図２】本発明の第１の実施の形態に係るタリーランプの制御方法の一例を説明するフローチャートである。
【図３】本発明の第１の実施の形態に係る動画記録の一連の流れを説明するフローチャートである。
【図４】本発明の第１の実施の形態に係る動画記録処理の手順を説明するフローチャートである。
【図５】本発明の第２の実施の形態に係る動画記録中の静止画撮影処理におけるタリーランプの制御方法を説明するフローチャートである。
【図６】本発明の第２の実施の形態に係る動画記録中の静止画撮影処理の手順を説明するフローチャートである。
【符号の説明】
【００８８】
１０  撮影レンズ
１０ａ  フォーカスレンズ
１０ｂ  ズームレンズ
１２  シャッタ
１４  撮像素子
１６  Ａ／Ｄ変換器
１８  タイミング発生回路
２０  画像処理回路
２２メモリ制御回路
２８  画像表示部
５０  システム制御回路
５２  メモリ
５４  表示部
５６  不揮発性メモリ
５８  タリーランプ
１００  撮像装置
２００  記録媒体
【図１】
0004649277.tif 000002
【図２】
0004649277.tif 000003
【図３】
0004649277.tif 000004
【図４】
0004649277.tif 000005
【図５】
0004649277.tif 000006
【図６】
0004649277.tif 000007